(57)【要約】【課題】フレーム要素同士を強固に固定できるフレーム要素連結装置、および収納棚を提供する。【解決手段】第一方向に延在する第一フレーム要素と、第一方向とは異なる第二方向に延在する第二フレーム要素とを連結するフレーム要素連結装置であって、第一フレーム要素の一端に配置され、第一フレーム要素と第二フレーム要素とを連結するジョイント部材と、第一フレーム要素の他端に配置されるアンカー部材と、第一フレーム要素に挿通され、ジョイント部材とアンカー部材とを連結する連結部材と、を備える。【選択図】図３
2019216842.tif 000002
【特許請求の範囲】
【請求項１】
第一方向に延在する第一フレーム要素と、前記第一方向と異なる第二方向に延在する第二フレーム要素とを連結するフレーム要素連結装置であって、
前記第一フレーム要素の一端に配置され、前記第一フレーム要素と前記第二フレーム要素とを連結するジョイント部材と、
前記第一フレーム要素の他端に配置されるアンカー部材と、
前記第一フレーム要素に挿通され、前記ジョイント部材と前記アンカー部材とを連結する連結部材と、を備える、
フレーム要素連結装置。
【請求項２】
前記ジョイント部材は、前記第一方向および前記第二方向と異なる第三方向に延在する第三フレーム要素を、前記第一フレーム要素および前記第二フレーム要素に連結する、請求項１に記載のフレーム要素連結装置。
【請求項３】
前記連結部材は、前記アンカー部材との螺合により、前記ジョイント部材と前記アンカー部材とを連結するネジ部材であって、前記連結部材が軸回り回転すると、前記ジョイント部材と前記アンカー部材とにより前記第一フレーム要素が挟まれる力が調整される、請求項１または２に記載のフレーム要素連結装置。
【請求項４】
前記アンカー部材は、前記第一フレーム要素と、前記第二方向に延在する第四フレーム要素とを連結する、請求項１〜３の何れか一項に記載のフレーム要素連結装置。
【請求項５】
前記ジョイント部材は、前記第二フレーム要素に挿入される挿入部と、前記挿入部に螺合された状態で前記第二フレーム要素に挿入される締結部材と、を有し、
前記締結部材が軸回りに回転すると、前記締結部材が前記挿入部から突出して、前記締結部品および前記挿入部が前記第二フレーム要素を内側から押圧し、前記挿入部が前記第二フレーム要素に固定される、請求項１〜４の何れか一項に記載のフレーム要素連結装置。
【請求項６】
請求項１〜５の何れか一項に記載のフレーム要素連結装置を備える収納棚。
【発明の詳細な説明】
【技術分野】
【０００１】
本発明は、フレーム要素連結装置および収納棚に関する。
【背景技術】
【０００２】
従来、複数のフレーム要素からなるフレームに、パネルや引き出しなどを組付けた収納棚が知られている（特許文献１参照）。このような収納棚において、互いに直交するフレーム要素同士は、ジョイント部材により連結されている。
【先行技術文献】
【特許文献】
【０００３】
【特許文献１】特開２０１６−１０６８８号公報
【発明の概要】
【発明が解決しようとする課題】
【０００４】
上述のような収納棚において、がたつきを低減する観点から、フレーム要素同士が強固に固定されていることが重要である。
【０００５】
本発明の目的は、フレーム要素同士を強固に固定できるフレーム要素連結装置および収納棚を提供することである。
【課題を解決するための手段】
【０００６】
本発明に係るフレーム要素連結装置の一態様は、第一方向に延在する第一フレーム要素と、第一方向と異なる第二方向に延在する第二フレーム要素とを連結するフレーム要素連結装置であって、第一フレーム要素の一端に配置され、第一フレーム要素と第二フレーム要素とを連結するジョイント部材と、第一フレーム要素の他端に配置されるアンカー部材と、第一フレーム要素に挿通され、ジョイント部材とアンカー部材とを連結する連結部材と、を備える。
【０００７】
本発明に係る収納棚の一態様は、上述のフレーム要素連結装置を備える。
【発明の効果】
【０００８】
本発明によれば、フレーム要素同士を強固に固定できるフレーム要素連結装置および収納棚を提供できる。
【図面の簡単な説明】
【０００９】
【図１Ａ】図１Ａは、実施形態に係る収納棚の正面図である。
【図１Ｂ】図１Ｂは、図１Ａに示される収納棚の平面図である。
【図１Ｃ】図１Ｃは、図１Ａに示される収納棚の左側面図である。
【図１Ｄ】図１Ｄは、図１Ａに示される収納棚の右側面図である。
【図２】図２は、図１ＡのＸ部の拡大断面図である。
【図３】図３は、図１ＡのＸ部の分解図である。
【図４Ａ】図４Ａは、上側ジョイントの平面図である。
【図４Ｂ】図４Ｂは、図４ＡのＡ１矢視図である。
【図５Ａ】図５Ａは、中間ジョイントの平面図である。
【図５Ｂ】図５Ｂは、図５ＡのＡ２矢視図である。
【図６Ａ】図６Ａは、下側ジョイントの平面図である。
【図６Ｂ】図６Ｂは、図６ＡのＡ３矢視図である。
【図７Ａ】図７Ａは、中間ジョイントと横フレーム要素および奥行フレーム要素とが分解された状態を示す断面図である。
【図７Ｂ】図７Ｂは、中間ジョイントと横フレーム要素および奥行フレーム要素とが固定された状態を示す断面図である。
【図７Ｃ】図７Ｃは、横フレーム要素の端面図である。
【図８Ａ】図８Ａは、フレーム要素連結装置の組立工程を説明するための図である。
【図８Ｂ】図８Ｂは、図８Ａの次の工程を説明するための図である。
【図８Ｃ】図８Ｃは、図８Ｂの次の工程を説明するための図である。
【発明を実施するための形態】
【００１０】
以下、本発明に係る実施形態の一例を図面に基づいて詳細に説明する。なお、本発明は、以下の実施形態の構造に限定されるものではない。
【００１１】
図１Ａ〜図１Ｄはそれぞれ、本発明の実施形態に係る収納棚Ｓの正面図、平面図、左側面図、および右側面図である。
【００１２】
以下、本実施形態に係る収納棚Ｓの具体的な構造について説明する。なお、以下の説明において、収納棚Ｓを構成する各部材については、収納棚Ｓに組み込まれた状態を基準として説明する。また、収納棚Ｓの構造を説明するにあたり、各図に示された直交座標系（Ｘ，Ｙ，Ｚ）を使用する場合もある。
【００１３】
具体的には、使用状態において、直交座標系のＸ方向は収納棚Ｓの前後方向（奥行方向ともいう。）に、Ｙ方向は収納棚Ｓの左右方向（幅方向ともいう。）に、Ｚ方向は収納棚Ｓの上下方向（高さ方向ともいう。）に、それぞれ一致する。
【００１４】
また、以下の説明において、各フレーム要素および各ジョイントの内側と言った場合には、後述の第一枠部２ａ、第二枠部２ｂ、および第三枠部２ｃにおける内側を意味する。一方、各フレーム要素および各ジョイントの外側と言った場合には、第一枠部２ａ、第二枠部２ｂ、および第三枠部２ｃの外側を意味する。
【００１５】
また、収納棚Ｓの平面視（図１Ｂ参照）における四隅を、第一隅部Ｒ１、第二隅部Ｒ２、第三隅部Ｒ３、および第四隅部Ｒ４とする。
【００１６】
また、以下の説明では、本発明に係るフレーム要素連結装置を収納棚に適用した例について説明する。ただし、本発明に係るフレーム要素連結装置は、収納棚に限らず、たとえば、セパレータ、リビングボード、キッチン、カップボード、キッチンワゴン、ロッカー、テーブル、椅子、ベッド、またはテレビボードなどの家具、ならびに、家の内壁または天井を構成する板状のパネルなどの建材に適用されてもよい。
【００１７】
［収納棚］
図１Ａ〜図１Ｄに示される収納棚Ｓは、左右方向に１列、上下方向に２段の収納棚である。なお、収納棚Ｓの列数および段数は、図示の場合に限定されない。収納棚Ｓの列数および段数は、使用の状況および目的に応じて、適宜変更されてよい。
【００１８】
収納棚Ｓは、フレーム１と、複数（本実施形態の場合、４枚）の側板Ｐ１と、複数（本実施形態の場合、２枚）の背板Ｐ２と、下側棚板Ｐ３と、中間棚板Ｐ４と、上側棚板Ｐ５と、を有する。
【００１９】
［フレーム］
フレーム１は、横フレーム要素３ａ〜３ｆと、奥行フレーム要素４ａ〜４ｆと、縦フレーム要素５ａ〜５ｈと、これら各フレーム同士を連結する複数のフレーム要素連結装置６Ａ、６Ｂと、を有する。
【００２０】
［横フレーム要素］
図１Ａ〜図１Ｄ、図７Ａ、および図７Ｂを参照して、横フレーム要素３ａ〜３ｆについて説明する。横フレーム要素３ａ〜３ｆはそれぞれ、左右方向に延在し、ＸＺ平面で切断した場合の断面形状が矩形（本実施形態の場合、正方形、図７Ｃ参照）の管状部材である。なお、横フレーム要素３ａ〜３ｆの断面形状は、矩形以外の形状（たとえば、円形または楕円形）であってもよい。また、以下の各フレーム要素の説明において、管状とは、各フレーム部材（図７Ｃに示される横フレーム要素３ｃ参照）の中心軸回りの全周に連続した形状に限らず、各フレーム部材の中心軸周りの一部に不連続な部分を有する形状（たとえば、断面がＣ字状となるような形状）であってもよい。
【００２１】
横フレーム要素３ａ〜３ｆはそれぞれ、図７Ａ〜図７Ｃに示されるように、内側面（横フレーム要素の第一側面ともいう。）の下端部に、この内側面から内側に延在した載置板部３１を有する。載置板部３１は、横フレーム要素３ａ〜３ｆの内側面の全長にわたり形成されている。このような載置板部３１には、後述の下側棚板Ｐ３、中間棚板Ｐ４、または上側棚板Ｐ５が載置される。なお、図７Ａ〜図７Ｃには、後述の中間ジョイント７により支持される横フレーム要素３ｃが示されている。横フレーム要素３ａ、３ｂ、３ｄ〜３ｆの構造については、横フレーム要素３ｃに関する説明を適宜読み替えればよい。
【００２２】
横フレーム要素３ａ〜３ｆはそれぞれ、内側壁部３２（横フレームの第一壁部ともいう。図７Ａ参照）の両端部に、この内側壁部３２を貫通した工具用貫通孔３３および取付孔３４を有する。工具用貫通孔３３の内径ｄ１は、締結部材３７（図７Ａ参照）の頭部３７１の外形Ｄ１よりも小さい（ｄ１＜Ｄ１）。なお、横フレームの第一壁部は、横フレーム要素３ａ〜３ｆの内側壁部に限定されない。たとえば、横フレームの第一壁部は、横フレーム要素３ａ〜３ｆの外側壁部であってもよい。
【００２３】
取付孔３４には、後述の収容部Ｓ１、Ｓ２に配置される箱状部材（不図示）を、横フレーム要素３ａ〜３ｆに固定するためのボルトなどの締結部材（不図示）が挿通されている。この締結部材は、後述の上側ジョイント９における第一水平固定部９２の第二雌ねじ部９２ｅ（図４Ａ参照）、後述の中間ジョイント７における第一水平固定部７２の第二雌ねじ部７２ｅ（図５Ａ参照）、および下側ジョイント８における第一水平固定部８２の第二雌ねじ部８２ｆ（図６Ａ参照）に螺合されている。なお、上述の箱状部材は、たとえば、引き出しまたは扉を有してもよい。
【００２４】
横フレーム要素３ａ〜３ｆはそれぞれ、外側壁部３５（横フレームの第二壁部ともいう。）の内側面において工具用貫通孔３３と対向する部分に、平坦な受け面３６を有する。なお、横フレームの第二壁部は、横フレーム要素３ａ〜３ｆの外側壁部に限定されない。横フレーム要素の第二壁部は、横フレーム要素の第一壁部と対向する側壁部であればよい。
【００２５】
横フレーム要素３ａ、３ｂは、同じ高さかつ前後方向に離れた状態で設けられている。このような横フレーム要素３ａ、３ｂは、フレーム１の下段に設けられた後述の第一枠部２ａを構成している。
【００２６】
横フレーム要素３ｃ、３ｄは、同じ高さかつ前後方向に離れた状態で設けられている。横フレーム要素３ｃ、３ｄは、横フレーム要素３ａ、３ｂよりも上方に設けられている。このような横フレーム要素３ｃ、３ｄは、フレーム１の中段に設けられた後述の第二枠部２ｂを構成している。
【００２７】
横フレーム要素３ｅ、３ｆは、同じ高さかつ前後方向に離れた状態で設けられている。横フレーム要素３ｅ、３ｆは、横フレーム要素３ｃ、３ｄよりも上方に設けられている。このような横フレーム要素３ｅ、３ｆは、フレーム１の上段に設けられた後述の第三枠部２ｃを構成している。
【００２８】
なお、本実施形態の場合、横フレーム要素は、連続した１本の管状部材である。ただし、横フレーム要素は、直列に接続された複数の管状部材であってもよい。たとえば、横フレーム要素は、図１Ａおよび図１Ｂに示された横フレーム要素３ａ〜３ｆと、横フレーム要素３ａ〜３ｆの左端または右端に接続された追加の横フレーム要素（不図示）と、により構成されていてもよい。
【００２９】
［奥行フレーム要素］
つぎに、図１Ａ〜図１Ｄ、図７Ａ、および図７Ｂを参照して、奥行フレーム要素４ａ〜４ｆについて説明する。奥行フレーム要素４ａ〜４ｆはそれぞれ、前後方向に延在し、ＹＺ平面で切断した場合の断面形状が矩形（本実施形態の場合、正方形）の管状部材である。なお、奥行フレーム要素４ａ〜４ｆの断面形状については、図７Ｃに示される横フレーム要素３ｃの断面形状と同様である。
【００３０】
奥行フレーム要素４ａ〜４ｆはそれぞれ、図７Ａ〜図７Ｃに示されるように、内側面（奥行フレームの第一側面ともいう。）の下端部に、この内側面から内側に延在した載置板部４１を有する。載置板部４１は、奥行フレーム要素４ａ〜４ｆの内側面の全長にわたり形成されている。このような載置板部４１には、後述の下側棚板Ｐ３、中間棚板Ｐ４、または上側棚板Ｐ５が載置される。
【００３１】
奥行フレーム要素４ａ〜４ｆはそれぞれ、内側壁部４２（奥行フレームの第一壁部ともいう。）の両端部に、この内側壁部４２を貫通した工具用貫通孔４３および取付孔４４を有する。工具用貫通孔４３の内径ｄ２は、締結部材４７の頭部４７１の外形Ｄ２よりも小さい（ｄ２＜Ｄ２）。なお、第一壁部は、奥行フレーム要素４ａ〜４ｆの内側壁部に限定されない。たとえば、奥行フレームの第一壁部は、奥行フレーム要素４ａ〜４ｆの外側壁部であってもよい。
【００３２】
取付孔４４には、後述の収容部Ｓ１、Ｓ２に配置される箱状部材（不図示）を、奥行フレーム要素４ａ〜４ｆに固定するためのボルトなどの締結部材（不図示）が挿通されている。この締結部材は、後述の上側ジョイント９における第二水平固定部９３の第二雌ねじ部９３ｅ（図４Ａおよび図４Ｂ参照）、後述の中間ジョイント７（図５Ａおよび図５Ｂ参照）における第二水平固定部７３の第二雌ねじ部７３ｅ、後述の下側ジョイント８における第二水平固定部８３の第二雌ねじ部８３ｅ（図６Ａおよび図６Ｂ参照）に螺合されている。
【００３３】
奥行フレーム要素４ａ〜４ｆはそれぞれ、外側壁部４５（奥行フレームの第二壁部ともいう。）の内側面において工具用貫通孔４３と対向する部分に、平坦な受け面４６を有する。なお、奥行フレーム要素の第二壁部は、奥行フレーム要素の外側壁部に限定されない。奥行フレーム要素の第二壁部は、上述の奥行フレーム要素の第一壁部と対向する側壁部であればよい。
【００３４】
奥行フレーム要素４ａ、４ｂは、同じ高さかつ左右方向に離れた状態で設けられている。このような奥行フレーム要素４ａ、４ｂは、横フレーム要素３ａ、３ｂとともに、フレーム１の下段に設けられた第一枠部２ａを構成している。
【００３５】
奥行フレーム要素４ｃ、４ｄは、同じ高さかつ左右方向に離れた状態で設けられている。奥行フレーム要素４ｃ、４ｄは、奥行フレーム要素４ａ、４ｂよりも上方に設けられている。このような奥行フレーム要素４ｃ、４ｄは、横フレーム要素３ｃ、３ｄとともに、フレーム１の中段に設けられた第二枠部２ｂを構成している。
【００３６】
奥行フレーム要素４ｅ、４ｆは、同じ高さかつ左右方向に離れた状態で設けられている。奥行フレーム要素４ｅ、４ｆは、奥行フレーム要素４ｃ、４ｄよりも上方に設けられている。このような奥行フレーム要素４ｅ、４ｆは、横フレーム要素３ｅ、３ｆとともに、フレーム１の上段に設けられた第三枠部２ｃを構成している。
【００３７】
なお、本実施形態の場合、奥行フレーム要素は、連続した１本の管状部材である。ただし、奥行フレーム要素は、直列に接続された複数の管状部材であってもよい。たとえば、奥行フレーム要素は、図１Ｃおよび図１Ｄに示された奥行フレーム要素４ａ〜４ｆと、奥行フレーム要素４ａ〜４ｆの前端または後端に接続された追加の奥行フレーム要素（不図示）と、により構成されていてもよい。
【００３８】
［縦フレーム要素］
つぎに、図１Ａ〜図１Ｄ、図７Ａ、および図７Ｂを参照して、縦フレーム要素５ａ〜５ｈについて説明する。縦フレーム要素５ａ〜５ｈはそれぞれ、上下方向に延在し、ＸＹ平面で切断した場合の断面形状が矩形（本実施形態の場合、正方形）の管状部材である。本実施形態の場合、縦フレーム要素５ａ〜５ｈの長さＬ３１（図３参照）は、等しい。なお、図示は省略するが、縦フレーム要素５ａ〜５ｈの断面形状は、図７Ｃに示された横フレーム要素３ｃの断面形状から、載置板部３１を省略した形状である。
【００３９】
縦フレーム要素５ａ〜５ｄは、収納棚Ｓの第一隅部Ｒ１、第二隅部Ｒ２、第三隅部Ｒ３、および第四隅部Ｒ４に設けられている。縦フレーム要素５ａ〜５ｄは、第一枠部２ａと第二枠部２ｂとの間に設けられ、第一枠部２ａと第二枠部２ｂとを連結している。具体的には、縦フレーム要素５ａ〜５ｄは、後述のフレーム要素連結装置６Ａを介して、第一枠部２ａと第二枠部２ｂとを連結している。
【００４０】
縦フレーム要素５ｅ〜５ｈは、収納棚Ｓの第一隅部Ｒ１、第二隅部Ｒ２、第三隅部Ｒ３、および第四隅部Ｒ４において、縦フレーム要素５ａ〜５ｄよりも上方に設けられている。縦フレーム要素５ｅ〜５ｈは、第二枠部２ｂと第三枠部２ｃとの間に設けられ、第二枠部２ｂと第三枠部２ｃとを連結している。具体的には、縦フレーム要素５ｅ〜５ｈは、後述のフレーム要素連結装置６Ｂを介して、第二枠部２ｂと第三枠部２ｃとを連結している。
【００４１】
なお、本実施形態の場合、縦フレーム要素は、連続した１本の管状部材である。ただし、縦フレーム要素は、直列に接続された複数の管状部材であってもよい。たとえば、縦フレーム要素は、図１Ａに示された縦フレーム要素５ａ〜５ｈと、縦フレーム要素５ａ〜５ｈの下端または上端に接続された追加の縦フレーム要素（不図示）と、により構成されていてもよい。
【００４２】
［第一枠部］
第一枠部２ａは、図１Ａ〜図１Ｄに示されるように、上述の横フレーム要素３ａ、３ｂと、上述の奥行フレーム要素４ａ、４ｂと、第一隅部Ｒ１〜第四隅部Ｒ４に設けられた四個の下側ジョイント８と、を有する。
【００４３】
横フレーム要素３ａ、３ｂと奥行フレーム要素４ａ、４ｂとは、四個の下側ジョイント８により、矩形枠状に連結されている。このような矩形枠状の第一枠部２ａは、収納棚Ｓの下段に設けられている。下側ジョイント８については後述する。なお、収納棚において、第一枠部とは、最下段に設けられた横フレーム要素および奥行フレーム要素により矩形枠状に構成される枠部を意味する。
【００４４】
［第二枠部］
第二枠部２ｂは、図１Ａ〜図１Ｄに示されるように、上述の横フレーム要素３ｃ、３ｄと、上述の奥行フレーム要素４ｃ、４ｄと、第一隅部Ｒ１〜第四隅部Ｒ４に設けられた四個の中間ジョイント７と、を有する。
【００４５】
横フレーム要素３ｃ、３ｄと奥行フレーム要素４ｃ、４ｄとは、四個の中間ジョイント７により、矩形枠状に連結されている。第二枠部２ｂは、収納棚Ｓの中段に設けられている。第二枠部２ｂは、フレーム要素連結装置６Ａを介して第一枠部２ａに連結されている。中間ジョイント７については後述する。
【００４６】
なお、収納棚において、第二枠部とは、最下段に設けられた枠部（つまり、第一枠部）と最上段に設けられた枠部（つまり、後述の第三枠部）との間に設けられた横フレーム要素および奥行フレーム要素により矩形枠状に構成される枠部を意味する。このような第二枠部の数は、収納棚の上下方向の段数に応じて異なる。たとえば、上下方向に３段の収納棚の場合には、この収納棚は、２個の第二枠部を有する。
【００４７】
［第三枠部］
第三枠部２ｃは、図１Ａ〜図１Ｄに示されるように、上述の横フレーム要素３ｅ、３ｆと、上述の奥行フレーム要素４ｅ、４ｆと、第一隅部Ｒ１〜第四隅部Ｒ４に設けられた四個の上側ジョイント９と、を有する。
【００４８】
横フレーム要素３ｅ、３ｆと奥行フレーム要素４ｅ、４ｆとは、四個の上側ジョイント９により矩形枠状に連結されている。第三枠部２ｃは、収納棚Ｓの上段に設けられている。第三枠部２ｃは、フレーム要素連結装置６Ｂを介して第二枠部２ｂに連結されている。上側ジョイント９については後述する。なお、収納棚において、第三枠部とは、最上段に設けられた横フレーム要素および奥行フレーム要素により矩形枠状に構成される枠部を意味する。
【００４９】
［フレーム要素連結装置］
フレーム要素連結装置６Ａ、６Ｂはそれぞれ、互いに直交するフレーム要素同士を連結する。以下、図２〜図６Ｂを参照して、フレーム要素連結装置６Ａ、６Ｂについて説明する。なお、フレーム要素連結装置６Ａ、６Ｂはそれぞれ、収納棚Ｓの第一隅部Ｒ１〜第四隅部Ｒ４に設けられている。収納棚Ｓの各隅部において、フレーム要素連結装置６Ａは、フレーム要素連結装置６Ｂの下方に設けられている。本実施形態の場合、フレーム要素連結装置６Ａ、６Ｂはそれぞれ、四個設けられている。
【００５０】
以下、四個のフレーム要素連結装置６Ａ、６Ｂのうち、第一隅部（図１ＡのＸ部）に設けられたフレーム要素連結装置６Ａ、６Ｂについて説明する。第二隅部Ｒ２〜第四隅部Ｒ４に設けられたフレーム要素連結装置６Ａ、６Ｂについては、第一隅部Ｒ１に設けられたフレーム要素連結装置６Ａ、６Ｂについての説明を適宜読み替えればよい。
【００５１】
［第一のフレーム要素連結装置］
まず、フレーム要素連結装置６Ａ（第一のフレーム要素連結装置ともいう。）について説明する。フレーム要素連結装置６Ａは、第一枠部２ａと第二枠部２ｂとを連結している。
【００５２】
フレーム要素連結装置６Ａは、中間ジョイント７と、下側ジョイント８と、連結部材６１Ａと、を有する。
【００５３】
［中間ジョイント］
図１Ａ〜図３、図５Ａ、図５Ｂ、および図７Ａ〜７Ｂを参照して、中間ジョイント７について説明する。中間ジョイント７は、基部７１と、第一水平固定部７２と、第二水平固定部７３と、第一垂直固定部７４と、第二垂直固定部７５と、を有する。なお、フレーム要素連結装置６Ａにおいて、中間ジョイント７は、ジョイント部材に対応する。
【００５４】
［中間ジョイントの基部］
基部７１は、立方体である。なお、基部７１の形状は、図示の場合に限定されない。たとえば、基部７１は、直方体状または円筒状であってもよい。
【００５５】
基部７１は、左右方向に対向する第一面７ａおよび第二面７ｂを有する。第一隅部Ｒ１に設けられたフレーム要素連結装置６Ａの場合、第一面７ａは基部７１の右側面に、第二面７ｂは基部７１の左側面に、それぞれ対応する。
【００５６】
基部７１は、前後方向に対向する第三面７ｃおよび第四面７ｄを有する。第一隅部Ｒ１に設けられたフレーム要素連結装置６Ａの場合、第三面７ｃは基部７１の前側面に、第四面７ｄは基部７１の後側面に、それぞれ対応する。
【００５７】
基部７１は、上下方向に対向する第五面７ｅおよび第六面７ｆを有する。第一隅部Ｒ１に設けられたフレーム要素連結装置６Ａの場合、第五面７ｅは基部７１の上側面に、第六面７ｆは基部７１の下側面に、それぞれ対応する。
【００５８】
［中間ジョイントの第一水平固定部］
第一水平固定部７２は、基部７１の第一面７ａに設けられている。第一水平固定部７２は、基部７１から右方（左右方向における一方ともいう。）に延在している。第一水平固定部７２は、ＸＺ平面で切断した場合の断面形状の外形が八角形である。なお、第一水平固定部７２の断面形状は、八角形に限らず、たとえば、角が丸く面取りされた四角形でもよい。
【００５９】
第一水平固定部７２は、横フレーム要素３ｃ（第二フレーム要素または第三フレーム要素ともいう。）の左端部に挿入されている。第一水平固定部７２の外形は、横フレーム要素３ｃの左端部に隙間なく挿入可能な形状であると好ましい。
【００６０】
なお、組み付け性を向上させる観点から、第一水平固定部７２の外形は、第一水平固定部７２の外周面と横フレーム要素３ｃの左端部の内周面との間に、前後方向および上下方向における所定の隙間が存在する形状であると好ましい。ただし、組み付け状態において、第一水平固定部７２と横フレーム要素３ｃとは、締結部材３７（図５Ａ参照）により、がたつくことなく固定されている。フレーム要素連結装置６Ａにおいて、第一水平固定部７２は、挿入部に対応する。
【００６１】
第一水平固定部７２は、第一水平固定部７２を前後方向に貫通する第一貫通孔７２ｂを有する。第一貫通孔７２ｂは、内側（後側ともいう。）に設けられた大径孔部７２ｃと、大径孔部７２ｃよりも外側（前側ともいう。）に設けられ、かつ大径孔部７２ｃよりも小径の第一雌ねじ部７２ｄと、を有する。
【００６２】
第一水平固定部７２は、第一水平固定部７２を前後方向に貫通する第二雌ねじ部７２ｅを有する。第二雌ねじ部７２ｅは、第一水平固定部７２において、第一貫通孔７２ｂよりも基部７１に近い位置（本実施形態の場合、第一貫通孔７２ｂよりも左側）に設けられている。
【００６３】
［中間ジョイントの第二水平固定部］
第二水平固定部７３は、基部７１の第四面７ｄに設けられている。第二水平固定部７３は、基部７１から後方（前後方向における一方ともいう。）に延在している。
【００６４】
第二水平固定部７３は、ＹＺ平面で切断した場合の断面形状の外形が八角形である。なお、第二水平固定部７３の断面形状は、八角形に限らず、たとえば、角が丸く面取りされた四角形でもよい。
【００６５】
第二水平固定部７３は、奥行フレーム要素４ｃ（第二フレーム要素または第三フレーム要素ともいう。）の前端部に挿入されている。第二水平固定部７３の外形は、奥行フレーム要素４ｃの前端部に隙間なく挿入可能な形状であると好ましい。
【００６６】
なお、組み付け性を向上させる観点から、第二水平固定部７３の外形は、第二水平固定部７３の外周面と奥行フレーム要素４ｃの端部の内周面との間に、左右方向および上下方向における所定の隙間が存在する形状であると好ましい。ただし、組み付け状態において、第二水平固定部７３と奥行フレーム要素４ｃとは、締結部材４７（図５Ａ参照）により、がたつくことなく固定されている。フレーム要素連結装置６Ａにおいて、第二水平固定部７３は、挿入部に対応する。
【００６７】
第二水平固定部７３は、第二水平固定部７３を左右方向に貫通する第一貫通孔７３ｂを有する。第一貫通孔７３ｂは、内側（右側ともいう。）に設けられた大径孔部７３ｃと、大径孔部７３ｃよりも外側（左側ともいう。）に設けられ、かつ大径孔部７３ｃよりも小径の第一雌ねじ部７３ｄと、を有する。
【００６８】
第二水平固定部７３は、第二水平固定部７３を左右方向に貫通する第二雌ねじ部７３ｅを有する。第二雌ねじ部７３ｅは、第二水平固定部７３において、第一貫通孔７３ｂよりも基部７１に近い位置（本実施形態の場合、第一貫通孔７３ｂよりも前側）に設けられている。
【００６９】
［中間ジョイントの第一垂直固定部］
第一垂直固定部７４は、基部７１の第六面７ｆに設けられている。第一垂直固定部７４は、基部７１から下方（上下方向における一方ともいう。）に延在している。
【００７０】
第一垂直固定部７４は、ＸＹ平面で切断した場合の断面形状の外形が八角形である。なお、第一垂直固定部７４の断面形状は、八角形に限らず、たとえば、角が丸く面取りされた四角形でもよい。
【００７１】
第一垂直固定部７４は、縦フレーム要素５ａ（第一フレーム要素ともいう。）の上端部に挿入されている。第一垂直固定部７４の外形は、縦フレーム要素５ａの上端部に隙間なく挿入可能な形状であると好ましい。
【００７２】
なお、組み付け性を向上させる観点から、第一垂直固定部７４の外形は、第一垂直固定部７４の外周面と縦フレーム要素５ａの上端部の内周面との間に、前後方向および左右方向における所定の隙間が存在する形状であると好ましい。ただし、組み付け状態において、第一垂直固定部７４と縦フレーム要素５ａとは、フレーム要素連結装置６Ａにより、がたつくことなく固定されている。
【００７３】
［中間ジョイントの第二垂直固定部］
第二垂直固定部７５は、基部７１の第五面７ｅに設けられている。第二垂直固定部７５は、基部７１から上方（上下方向における他方ともいう。）に延在している。
【００７４】
第二垂直固定部７５は、ＸＹ平面で切断した場合の断面形状の外形が八角形である。なお、第二垂直固定部７５の断面形状は、八角形に限らず、たとえば、角が丸く面取りされた四角形でもよい。
【００７５】
第二垂直固定部７５は、縦フレーム要素５ｅの下端部に挿入されている。第二垂直固定部７５の外形は、縦フレーム要素５ｅの下端部に隙間なく挿入可能な形状であると好ましい。
【００７６】
なお、組み付け性を向上させる観点から、第二垂直固定部７５の外形は、第二垂直固定部７５の外周面と縦フレーム要素５ｅの下端部の内周面との間に、前後方向および左右方向における所定の隙間が存在する形状であると好ましい。ただし、組み付け状態において、第二垂直固定部７５と縦フレーム要素５ｅとは、後述のフレーム要素連結装置６Ｂにより、がたつくことなく固定されている。
【００７７】
また、中間ジョイント７は、第一垂直固定部７４、基部７１、および第二垂直固定部７５を上下方向に貫通する貫通孔７６を有する。貫通孔７６の上端は第二垂直固定部７５の先端に、貫通孔７６の下端は第一垂直固定部７４の先端に、それぞれ開口している。
【００７８】
貫通孔７６は、少なくとも上端部に設けられた大径貫通孔７６ａと、大径貫通孔７６ａよりも下方に設けられた小径貫通孔７６ｂと、を有する。大径貫通孔７６ａと小径貫通孔７６ｂとは、上方を向いた円輪状の段部７６ｃにより接続されている。大径貫通孔７６ａの上下方向寸法は、Ｌ２である。
【００７９】
このような中間ジョイント７は、図１Ａおよび図１Ｂに示されるように、縦フレーム要素５ａと、横フレーム要素３ｃと、奥行フレーム要素４ｃと、縦フレーム要素５ｅと、を連結している。
【００８０】
具体的には、中間ジョイント７の第一水平固定部７２は、横フレーム要素３ｃの左端部に挿入されている。第一水平固定部７２は、第一貫通孔７２ｂに挿入されたボルトなどの締結部材３７により、横フレーム要素３ｃに固定されている。
【００８１】
ここで、第一水平固定部７２と横フレーム要素３ｃとの固定方法について説明する。まず、図７Ａに示されるように、第一水平固定部７２の第一貫通孔７２ｂに締結部材３７を挿入する。具体的には、第一貫通孔７２ｂに、後側の開口部（大径孔部７２ｃ側）から締結部材３７を挿入する。
【００８２】
つぎに、締結部材３７の頭部３７１が大径孔部７２ｃから突出しない位置まで、締結部材３７の雄ねじ部を第一貫通孔７２ｂの第一雌ねじ部７２ｄに螺合する。つぎに、図７Ｂに示されるように、横フレーム要素３ｃの左端部に、第一水平固定部７２を挿入する。この状態で、締結部材３７の頭部３７１と、横フレーム要素３ｃの工具用貫通孔３３とを整合させる。
【００８３】
最後に、工具用貫通孔３３にドライバなどの工具６４（図７Ｂ参照）を挿入して、締結部材３７を、横フレーム要素３ｃ内で所定方向に回転させる。この回転にともない、締結部材３７は、第一雌ねじ部７２ｄから抜け出す方向に変位する。すると、締結部材３７の頭部３７１が、横フレーム要素３ｃの内側壁部３２の内面に当接し、かつ、第一水平固定部７２の外側面（本実施形態の場合、前側面）が、横フレーム要素３ｃの外側壁部３５の受け面３６に当接する。この結果、締結部材３７と第一水平固定部７２とが、横フレーム要素３ｃ内において、内側壁部３２と外側壁部３５との間で突っ張る。これにより、第一水平固定部７２が、横フレーム要素３ｃに固定される。
【００８４】
なお、締結部材３７の雄ねじ部は、右ネジであってもよいし、左ネジであってもよい。締結部材３７の雄ねじ部を左ネジとした場合には、ユーザは、工具６４を右回転させることにより、第一水平固定部７２と横フレーム要素３ｃとを固定することができる。一般的に、固定作業は、工具を右回転させて行うことが多いため、締結部材３７の雄ねじ部を左ネジにした方が、ユーザは、違和感なく固定作業を行うことができる。
【００８５】
また、中間ジョイント７の第二水平固定部７３は、奥行フレーム要素４ｃの前端部に挿入されている。第二水平固定部７３は、第一貫通孔７３ｂに挿入されたボルトなどの締結部材４７（図５Ａ参照）により、奥行フレーム要素４ｃに固定されている。なお、第二水平固定部７３と奥行フレーム要素４ｃとの固定方法は、上述の第一水平固定部７２と横フレーム要素３ｃとの固定方法と同様であるため、説明を省略する。
【００８６】
中間ジョイント７の第一垂直固定部７４は、縦フレーム要素５ａの上端部に挿入されている。
【００８７】
中間ジョイント７の第二垂直固定部７５は、縦フレーム要素５ｅの下端部に挿入されている。
【００８８】
なお、上述の中間ジョイント７は、基部７１から４方向に延在した固定部（具体的には、第一水平固定部７２、第二水平固定部７３、第一垂直固定部７４、および第二垂直固定部７５）を有している。ただし、中間ジョイント７の固定部の数は本実施形態の場合に限定されない。たとえば、中間ジョイント７は、基部７１から６方向に延在した固定部を有してもよい。また、たとえば、中間ジョイント７がセパレータに組み込まれる場合には、中間ジョイント７は、基部７１から互いに直交する２方向（たとえば、上下方向および左右方向）に延在する固定部のみを有してもよい。
【００８９】
［下側ジョイント］
つぎに、図１Ａ〜図３、図６Ａ、および図６Ｂを参照して、下側ジョイント８について説明する。下側ジョイント８は、基部８１と、第一水平固定部８２と、第二水平固定部８３と、第一垂直固定部８４と、を有する。なお、フレーム要素連結装置６Ａにおいて、下側ジョイント８は、アンカー部材に対応する。
【００９０】
基部８１は、立方体である。なお、基部７１の形状は、図示の場合に限定されない。たとえば、基部８１は、直方体状または円筒状であってもよい。
【００９１】
基部８１は、左右方向に対向する第一面８ａおよび第二面８ｂを有する。本実施形態の場合、第一面８ａは基部８１の右側面に、第二面８ｂは基部８１の左側面に、それぞれ対応する。
【００９２】
基部８１は、前後方向に対向する第三面８ｃおよび第四面８ｄを有する。本実施形態の場合、第三面８ｃは基部８１の前側面に、第四面８ｄは基部８１の後側面に、それぞれ対応する。
【００９３】
基部８１は、上下方向に対向する第五面８ｅおよび第六面８ｆを有する。本実施形態の場合、第五面８ｅは基部８１の上側面に、第六面８ｆは基部８１の下側面に、それぞれ対応する。
【００９４】
［下側ジョイントの第一水平固定部］
第一水平固定部８２は、基部８１の第一面８ａに設けられている。第一水平固定部８２は、基部８１から右方（左右方向における一方ともいう。）に延在している。
【００９５】
第一水平固定部８２は、ＸＺ平面で切断した場合の断面形状の外形が八角形である。なお、第一水平固定部８２の断面形状は、八角形に限らず、たとえば、角が丸く面取りされた四角形でもよい。
【００９６】
第一水平固定部８２は、横フレーム要素３ａ（第四フレーム要素ともいう。）の左端部に挿入されている。第一水平固定部８２の外形は、横フレーム要素３ａの端部に隙間なく挿入可能な形状であると好ましい。
【００９７】
なお、組み付け性を向上させる観点から、第一水平固定部８２の外形は、第一水平固定部８２の外周面と横フレーム要素３ａの左端部の内周面との間に、前後方向および上下方向における所定の隙間が存在する形状であると好ましい。ただし、組み付け状態において、第一水平固定部８２と横フレーム要素３ａとは、締結部材３７（図６Ａ参照）により、がたつくことなく固定されている。
【００９８】
第一水平固定部８２は、第一水平固定部８２を前後方向に貫通する第一貫通孔８２ｃを有する。第一貫通孔８２ｃは、内側（後側ともいう。）に設けられた大径孔部８２ｄと、大径孔部８２ｄよりも外側（前側ともいう。）に設けられ、かつ大径孔部８２ｄよりも小径の第一雌ねじ部８２ｅと、を有する。
【００９９】
第一水平固定部８２は、第一水平固定部８２を前後方向に貫通する第二雌ねじ部８２ｆを有する。第二雌ねじ部８２ｆは、第一水平固定部８２において、第一貫通孔８２ｃよりも基部８１に近い位置（本実施形態の場合、第一貫通孔８２ｃよりも左側）に設けられている。
【０１００】
［下側ジョイントの第二水平固定部］
第二水平固定部８３は、基部８１の第四面８ｄに設けられている。第二水平固定部８３は、基部８１から後方（前後方向における一方ともいう。）に延在している。
【０１０１】
第二水平固定部８３は、ＹＺ平面で切断した場合の断面形状の外形が八角形である。なお、第二水平固定部８３の断面形状は、八角形に限らず、たとえば、角が丸く面取りされた四角形でもよい。
【０１０２】
第二水平固定部８３は、奥行フレーム要素４ａ（第四フレーム要素ともいう。）の前端部に挿入されている。第二水平固定部８３の外形は、奥行フレーム要素４ａの端部に隙間なく挿入可能な形状であると好ましい。
【０１０３】
なお、組み付け性を向上させる観点から、第二水平固定部８３の外形は、第二水平固定部８３の外周面と奥行フレーム要素４ａの前端部の内周面との間に、左右方向および上下方向における所定の隙間が存在する形状であると好ましい。ただし、組み付け状態において、第二水平固定部８３と奥行フレーム要素４ａとは、締結部材４７（図６Ａ参照）により、がたつくことなく固定されている。
【０１０４】
第二水平固定部８３は、第二水平固定部８３を左右方向に貫通する第一貫通孔８３ｂを有する。第一貫通孔８３ｂは、内側（右側ともいう。）に設けられた大径孔部８３ｃと、大径孔部８３ｃよりも外側（左側ともいう。）に設けられ、かつ大径孔部８３ｃよりも小径の第一雌ねじ部８３ｄと、を有する。
【０１０５】
第二水平固定部８３は、第二水平固定部８３を左右方向に貫通する第二雌ねじ部８３ｅを有する。第二雌ねじ部８３ｅは、第二水平固定部８３において、第一貫通孔８３ｂよりも基部８１に近い位置（本実施形態の場合、第一貫通孔８３ｂよりも前側）に設けられている。
【０１０６】
［下側ジョイントの第一垂直固定部］
第一垂直固定部８４は、基部８１の第五面８ｅに設けられている。第一垂直固定部８４は、基部８１から上方（上下方向における他方ともいう。）に延在している。
【０１０７】
第一垂直固定部８４は、ＸＹ平面で切断した場合の断面形状の外形が八角形である。なお、第一垂直固定部８４の断面形状は、八角形に限らず、たとえば、角が丸く面取りされた四角形でもよい。
【０１０８】
第一垂直固定部８４は、縦フレーム要素５ａの下端部に挿入されている。第一垂直固定部８４の外形は、縦フレーム要素５ａの下端部に隙間なく挿入可能な形状であると好ましい。
【０１０９】
なお、組み付け性を向上させる観点から、第一垂直固定部８４の外形は、第一垂直固定部８４の外周面と縦フレーム要素５ａの下端部の内周面との間に、前後方向および左右方向における所定の隙間が存在する形状であると好ましい。ただし、組み付け状態において、第一垂直固定部８４と縦フレーム要素５ａとは、フレーム要素連結装置６Ａにより、がたつくことなく固定されている。
【０１１０】
また、下側ジョイント８は、第一垂直固定部８４および基部８１を上下方向に貫通する貫通孔８６を有する。貫通孔８６の上端は第一垂直固定部８４の先端に、貫通孔８６の下端は基部８１の第六面８ｆに、それぞれ開口している。
【０１１１】
貫通孔８６は、下端部に設けられた大径雌ねじ部８６ａと、大径雌ねじ部８６ａよりも上方に設けられた小径雌ねじ部８６ｂと、を有する。
【０１１２】
このような下側ジョイント８は、図１Ａおよび図１Ｂに示されるように、縦フレーム要素５ａと、横フレーム要素３ａと、奥行フレーム要素４ａと、を連結している。
【０１１３】
具体的には、下側ジョイント８の第一水平固定部８２は、横フレーム要素３ａの左端部に挿入されている。第一水平固定部８２は、第一貫通孔８２ｃに挿入されたボルトなどの締結部材３７（図６Ａ参照）により、横フレーム要素３ａに固定されている。なお、第一水平固定部８２と横フレーム要素３ａとの固定方法は、上述の中間ジョイント７の第一水平固定部７２と横フレーム要素３ｃとの固定方法と同様であるため、説明を省略する。
【０１１４】
また、下側ジョイント８の第二水平固定部８３は、奥行フレーム要素４ａの前端部に挿入されている。第二水平固定部８３は、第一貫通孔８３ｂに挿入されたボルトなどの締結部材４７（図６Ａ参照）により、奥行フレーム要素４ａに固定されている。なお、第二水平固定部８３と奥行フレーム要素４ａとの固定方法は、上述の中間ジョイント７の第一水平固定部７２と横フレーム要素３ｃとの固定方法と同様であるため、説明を省略する。
【０１１５】
第一垂直固定部８４は、縦フレーム５ａの下端部に挿入されている。
【０１１６】
なお、上述の下側ジョイント８は、基部８１から３方向に延在した固定部（具体的には、第一水平固定部８２、第二水平固定部８３、および第一垂直固定部８４）を有している。ただし、下側ジョイント８の固定部の数は、本実施形態の場合に限定されない。たとえば、下側ジョイント８は、基部８１から、下方を除いた５方向に延在した固定部を有してもよい。また、たとえば、下側ジョイント８がセパレータに組み込まれる場合には、下側ジョイント８は、基部８１から互いに直交する２方向（たとえば、上方向および左右方向）に延在する固定部のみを有してもよい。
【０１１７】
［連結部材］
つぎに、図２および図３を参照して、連結部材６１Ａについて説明する。連結部材６１Ａは、頭部６１ａと、軸部６１ｂと、を有する。頭部６１ａと軸部６１ｂとは、分離不可能な状態で一体に設けられている。頭部６１ａと軸部６１ｂとは、たとえば、鋳造により一体に成形される。頭部６１ａと軸部６１ｂとは、別体として造られた後、溶接などにより一体に成形されてもよい。なお、頭部６１ａと軸部６１ｂとは、分離可能な状態で設けられてもよい。
【０１１８】
頭部６１ａは、所謂六角丸ナットである。具体的には、頭部６１ａは、円筒面状の外周面を有する筒状部材である。頭部６１ａの内周面は、上端部に、六角形状の工具係止部６１ｃを有する。頭部６１ａの内周面は、工具係止部６１ｃよりも下方に雌ねじ部６１ｄを有する。
【０１１９】
軸部６１ｂは、外周面に雄ねじ部６１ｅを有するネジ部材である。雄ねじ部６１ｅは、軸部６１ｂの全長にわたり設けられている。軸部６１ｂの基端部（上端部ともいう。）は、頭部６１ａに一体に接続されている。なお、雄ねじ部６１ｅは、軸部６１ｂの先端部（下端部）にのみ設けられていてもよい。
【０１２０】
ここで、フレーム要素連結装置６Ａの組立工程について説明する。なお、フレーム要素連結装置６Ａの組立工程に関する以下の説明は、第一隅部に設けられる縦フレーム要素５ａに対して、フレーム要素連結装置６Ａを組み付ける工程のみを説明する。
【０１２１】
フレーム要素連結装置６Ａの組立工程において、作業者は、まず、図１Ａ〜図１Ｄに示されるような第一枠部２ａおよび第二枠部２ｂを組み立てる。
【０１２２】
つぎに、図８Ａに示されるように、第一枠部２ａの下側ジョイント８における第一垂直固定部８４に、縦フレーム要素５ａを組み付ける。なお、第二隅部〜第四隅部についても同様である。
【０１２３】
つぎに、作業者は、図８Ｂに示されるように、縦フレーム要素５ａの上端部に、第二枠部２ｂの中間ジョイント７における第一垂直固定部７４を挿入する。なお、第二隅部〜第四隅部についても同様である。
【０１２４】
つぎに、作業者は、図８Ｃに示されるように、中間ジョイント７の貫通孔７６に連結部材６１Ａを上方から挿入する。
【０１２５】
つぎに、作業者は、連結部材６１Ａの頭部６１ａに係合した工具６４ａにより、連結部材６１Ａを回転させて、連結部材６１Ａの先端部を、下側ジョイント８の小径雌ねじ部８６ｂに上方から螺合させる。作業者は、中間ジョイント７と下側ジョイント８とが縦フレーム要素５ａを上下方向に挟持する力が、所定値以上になるまで連結部材６１Ａを回転させる。なお、第二隅部〜第四隅部についても同様である。
【０１２６】
上述の挟持する力が所定値になった時点で、フレーム要素連結装置６Ａの組立工程は、終了する。このように、連結部材６１Ａは、自身の回転に基づいて、中間ジョイント７（単にジョイント部材ともいう。）と下側ジョイント８（アンカー部材ともいう。）とが、縦フレーム要素５ａを上下方向（第一方向ともいう。）から挟む力を調整できる。
【０１２７】
上述の組立工程により組み立てられた状態（以下、「組立状態」という。）において、連結部材６１Ａの先端部は、下側ジョイント８の小径雌ねじ部８６ｂに螺合されている。
【０１２８】
また、組立状態において、連結部材６１Ａの中間部は、縦フレーム要素５ａ内に挿通されている。また、組立状態において、連結部材６１Ａの基端部（つまり、頭部６１ａ）は、中間ジョイント７の大径貫通孔７６ａに配置されている。また、組立状態において、頭部６１ａの座面は、中間ジョイント７の段部７６ｃ（図８Ｂ参照）に当接している。
【０１２９】
また、組立状態において、連結部材６１Ａは、頭部６１ａの座面を介して中間ジョイント７に下向きの力を付与している。また、組立状態において、連結部材６１Ａは、軸部６１ｂの先端部と下側ジョイント８の小径雌ねじ部８６ｂとの螺合に基づいて、下側ジョイント８に上向きの力を付与している。このような下向きの力および上向きの力に基づいて、中間ジョイント７と下側ジョイント８とが、縦フレーム要素５ａを上下方向に挟持している。
【０１３０】
このような構成は、中間ジョイント７および下側ジョイント８と、縦フレーム要素５ａとのがたつきの低減に効果的である。また、中間ジョイント７および下側ジョイント８が、縦フレーム要素５ａに対して強固に固定されることにより、横フレーム要素３ａおよび奥行フレーム要素４ａは、下側ジョイント８を介して、縦フレーム要素５ａに強固に固定される。また、横フレーム要素３ｃおよび奥行フレーム要素４ｃは、中間ジョイント７を介して、縦フレーム要素５ａに強固に固定される。
【０１３１】
なお、図３に示されるように、下側ジョイント８の大径雌ねじ部８６ａには、アジャスタ６２が螺合されている。アジャスタ６２は、大径雌ねじ部８６ａとの螺合に基づいて、大径雌ねじ部８６ａからの突出量を調節できる。
【０１３２】
［第二のフレーム要素連結装置］
以下、図２〜図４Ｂを参照して、フレーム要素連結装置６Ｂ（第二のフレーム要素連結装置ともいう。）について説明する。
【０１３３】
フレーム要素連結装置６Ｂは、上側ジョイント９と、連結部材６１Ｂと、アンカー部材６３と、を有する。連結部材６１Ｂは、上述のフレーム要素連結装置６の連結部材６１Ａと同様であるため、説明を省略する。また、アンカー部材６３は、フレーム要素連結装置６Ａの連結部材６１Ａである。なお、フレーム要素連結装置６Ｂにおいて、上側ジョイント９は、ジョイント部材に対応する。
【０１３４】
［上側ジョイント］
図１Ａ〜図４Ｂを参照して、上側ジョイント９について説明する。上側ジョイント９は、基部９１と、第一水平固定部９２と、第二水平固定部９３と、第一垂直固定部９４と、を有する。
【０１３５】
基部９１は、立方体である。なお、基部９１の形状は、図示の場合に限定されない。たとえば、基部９１は、直方体状または円筒状であってもよい。
【０１３６】
基部９１は、左右方向に対向する第一面９ａおよび第二面９ｂを有する。第一隅部Ｒ１に設けられたフレーム要素連結装置６Ｂの場合、第一面９ａは基部９１の右側面に、第二面９ｂは基部９１の左側面に、それぞれ対応する。
【０１３７】
基部９１は、前後方向に対向する第三面９ｃおよび第四面９ｄを有する。第一隅部Ｒ１に設けられたフレーム要素連結装置６Ｂの場合、第三面９ｃは基部９１の前側面に、第四面９ｄは基部９１の後側面に、それぞれ対応する。
【０１３８】
基部９１は、上下方向に対向する第五面９ｅおよび第六面９ｆを有する。第一隅部Ｒ１に設けられたフレーム要素連結装置６Ｂの場合、第五面９ｅは基部９１の上側面に、第六面９ｆは基部９１の下側面に、それぞれ対応する。
【０１３９】
［上側ジョイントの第一水平固定部］
第一水平固定部９２は、基部９１の第一面９ａに設けられている。第一水平固定部９２は、基部９１から右方（左右方向における一方ともいう。）に延在している。
【０１４０】
第一水平固定部９２は、ＸＺ平面で切断した場合の断面形状の外形が八角形である。なお、第一水平固定部９２の断面形状は、八角形に限らず、たとえば、角が丸く面取りされた四角形でもよい。
【０１４１】
第一水平固定部９２は、横フレーム要素３ｅの左端部（一端部ともいう。）に挿入されている。第一水平固定部９２は、横フレーム要素３ｅの左端部に隙間なく挿入されると好ましい。
【０１４２】
なお、組み付け性を向上させる観点から、第一水平固定部９２の外形は、第一水平固定部９２の外周面と横フレーム要素３ｅの左端部の内周面との間に、前後方向および上下方向における所定の隙間が存在する形状だと好ましい。ただし、組み付け状態において、第一水平固定部９２と横フレーム要素３ｅとは、締結部材３７（図４Ａ参照）により、がたつくことなく固定されている。フレーム要素連結装置６Ｂにおいて、第一水平固定部９２は、挿入部に対応する。
【０１４３】
第一水平固定部９２は、第一水平固定部９２を前後方向に貫通する第一貫通孔９２ｂを有する。第一貫通孔９２ｂは、内側（後側ともいう。）に設けられた大径孔部９２ｃと、大径孔部９２ｃよりも外側（前側ともいう。）に設けられ、大径孔部９２ｃよりも小径の第一雌ねじ部９２ｄと、を有する。
【０１４４】
第一水平固定部９２は、第一水平固定部９２を前後方向に貫通する第二雌ねじ部９２ｅを有する。第二雌ねじ部９２ｅは、第一水平固定部９２において、第一貫通孔９２ｂよりも基部９１に近い位置（本実施形態の場合、基部９１よりも左側）に設けられている。
【０１４５】
［上側ジョイントの第二水平固定部］
第二水平固定部９３は、基部９１の第四面９ｄに設けられている。第二水平固定部９３は、基部９１から後方（前後方向における一方ともいう。）に延在している。
【０１４６】
第二水平固定部９３は、ＹＺ平面で切断した場合の断面形状の外形が八角形である。なお、第二水平固定部９３の断面形状は、八角形に限らず、たとえば、角が丸く面取りされた四角形でもよい。
【０１４７】
第二水平固定部９３は、奥行フレーム要素４ｅの前端部に挿入されている。第二水平固定部９３の外形は、奥行フレーム要素４ｅの前端部に隙間なく挿入可能な形状であると好ましい。
【０１４８】
なお、組み付け性を向上させる観点から、第二水平固定部９３の外形は、第二水平固定部９３の外周面と奥行フレーム要素４ｅの前端部の内周面との間に、左右方向および上下方向における所定の隙間が存在する形状であると好ましい。ただし、組み付け状態において、第二水平固定部９３と奥行フレーム要素４ｅとは、締結部材４７（図４Ａ参照）により、がたつくことなく固定されている。フレーム要素連結装置６Ｂにおいて、第二水平固定部９３は、挿入部に対応する。
【０１４９】
第二水平固定部９３は、第二水平固定部９３を左右方向に貫通する第一貫通孔９３ｂを有する。第一貫通孔９３ｂは、内側（右側ともいう。）に設けられた大径孔部９３ｃと、大径孔部９３ｃよりも外側（左側ともいう。）に設けられ、大径孔部９３ｃよりも小径の第一雌ねじ部９３ｄと、を有する。
【０１５０】
第二水平固定部９３は、第二水平固定部９３を左右方向に貫通する第二雌ねじ部９３ｅを有する。第二雌ねじ部９３ｅは、第二水平固定部９３において、第一貫通孔９３ｂよりも基部９１に近い位置（本実施形態の場合、第一貫通孔９３ｂよりも前側）に設けられている。
【０１５１】
［上側ジョイントの第一垂直固定部］
第一垂直固定部９４は、基部９１の第六面９ｆに設けられている。第一垂直固定部９４は、基部９１から下方（上下方向における一方ともいう。）に延在している。
【０１５２】
第一垂直固定部９４は、ＸＹ平面で切断した場合の断面形状の外形が八角形である。なお、第一垂直固定部９４の断面形状は、八角形に限らず、たとえば、角が丸く面取りされた四角形でもよい。
【０１５３】
第一垂直固定部９４は、縦フレーム要素５ｅの上端部に挿入されている。第一垂直固定部９４の外形は、縦フレーム要素５ｅの上端部に隙間なく挿入可能な形状であると好ましい。
【０１５４】
なお、組み付け性を向上させる観点から、第一垂直固定部９４の外形は、第一垂直固定部９４の外周面と縦フレーム要素５ｅの上端部の内周面との間に、前後方向および左右方向における所定の隙間が存在する形状であると好ましい。ただし、組み付け状態において、第一垂直固定部９４と縦フレーム要素５ｅとは、フレーム要素連結装置６Ｂにより、がたつくことなく固定されている。
【０１５５】
また、上側ジョイント９は、第一垂直固定部９４および基部９１を上下方向に貫通する貫通孔９５を有する。貫通孔９５の上端は基部９１の第五面９ｅに、貫通孔９５の下端は第一垂直固定部９４の先端に、それぞれ開口している。
【０１５６】
貫通孔９５は、上端部に設けられた大径孔部９５ａと、大径孔部９５ａよりも下方に設けられた小径孔部９５ｂと、を有する。大径孔部９５ａと小径孔部９５ｂとは、上方を向いた円輪状の段部９５ｃにより接続されている。大径孔部９５ａの上下方向寸法は、Ｌ３（図３参照）である。
【０１５７】
大径孔部９５ａの上下方向寸法Ｌ３は、中間ジョイント７の大径貫通孔７６ａの上下方向寸法Ｌ２よりも小さい。上下方向寸法Ｌ３と上下方向寸法Ｌ２とを適切な寸法関係に規制することにより、第一枠部２ａと第二枠部２ｂとの間の上下方向寸法と、第二枠部２ｂと第三枠部２ｃとの間の上下方向寸法とを、等しくできる。この結果、縦フレーム要素５ａ〜５ｄと縦フレーム要素５ｅ〜５ｈとの上下方向寸法が等しくなり、縦フレーム要素５ａ〜５ｈの共通化が図られる。また、連結部材６１Ａと連結部材６１Ｂとの上下方向寸法が等しくなり、連結部材６１Ａ、６１Ｂの共通化が図られる。
【０１５８】
このような上側ジョイント９は、図１Ａおよび図１Ｂに示されるように、縦フレーム要素５ｅと、横フレーム要素３ｅと、奥行フレーム要素４ｅと、を連結している。
【０１５９】
具体的には、上側ジョイント９の第一水平固定部９２は、横フレーム要素３ｅの左端部に挿入されている。第一水平固定部９２は、第一貫通孔９２ｂに挿入されたボルトなどの締結部材３７（図４Ａ参照）により、横フレーム要素３ｅに固定されている。なお、第一水平固定部９２と横フレーム要素３ｅとの固定方法は、上述の中間ジョイント７の第一水平固定部７２と横フレーム要素３ｃとの固定方法と同様であるため、説明を省略する。
【０１６０】
また、上側ジョイント９の第二水平固定部９３は、奥行フレーム要素４ｅの前端部に挿入されている。第二水平固定部９３は、第一貫通孔９３ｂに挿入されたボルトなどの締結部材４７（図４Ａ参照）により、奥行フレーム要素４ｅに固定されている。なお、第二水平固定部９３と奥行フレーム要素４ｅとの固定方法は、上述の中間ジョイント７の第一水平固定部７２と横フレーム要素３ｃとの固定方法と同様であるため、説明を省略する。
【０１６１】
上側ジョイント９の第一垂直固定部９４は、縦フレーム要素５ｅの上端部に挿入されている。
【０１６２】
なお、上述の上側ジョイント９は、基部９１から３方向に延在した固定部（具体的には、第一水平固定部９２、第二水平固定部９３、および第一垂直固定部９４）を有している。ただし、上側ジョイント９の固定部の数は、本実施形態の場合に限定されない。たとえば、上側ジョイント９は、基部９１から、上方を除いた５方向に延在した固定部を有してもよい。また、たとえば、上側ジョイント９がセパレータに組み込まれる場合には、上側ジョイント９は、基部９１から互いに直交する２方向（たとえば、下方向および左右方向）に延在する固定部のみを有してもよい。
【０１６３】
以上のような構成を有するフレーム要素連結装置６Ｂにおいて、連結部材６１Ｂは、縦フレーム要素５ｅの上端に設けられた上側ジョイント９（単にジョイント部材ともいう。）と、フレーム要素連結装置６Ａの連結部材６１Ａの頭部６１ａ（アンカー部材ともいう。）と、を連結している。
【０１６４】
具体的には、連結部材６１Ｂの先端部（つまり、軸部６１ｂの先端部）は、フレーム要素連結装置６Ａの連結部材６１Ａに連結されている。より具体的には、連結部材６１Ｂの先端部は、連結部材６１Ａの頭部６１ａの雌ねじ部６１ｄに螺合されている。
【０１６５】
また、連結部材６１Ｂの中間部は、縦フレーム要素５ｅの内側に挿通されている。また、連結部材６１Ｂの基端部（つまり、頭部６１ａ）は、上側ジョイント９の大径孔部９５ａに配置されている。連結部材６１Ｂの頭部６１ａの座面は、上側ジョイント９の段部９５ｃに当接している。なお、フレーム要素連結装置６Ｂの組立工程は、上述のフレーム要素連結装置６Ａの組立工程とほぼ同様であるため、説明は省略する。
【０１６６】
フレーム要素連結装置６Ｂの組付状態において、連結部材６１Ｂの頭部６１ａは、上側ジョイント９に下向きの力を付与している。このような下向きの力に基づいて、上側ジョイント９と中間ジョイント７とが、縦フレーム要素５ｅを上下方向に挟持している。
【０１６７】
このような構成は、中間ジョイント７および上側ジョイント９と、縦フレーム要素５ｅとががたつくことの低減に効果的である。また、中間ジョイント７および上側ジョイント９が、縦フレーム要素５ｅに対して強固に固定されることにより、横フレーム要素３ｅおよび奥行フレーム要素４ｅは、上側ジョイント９を介して、縦フレーム要素５ｅに強固に固定される。また、横フレーム要素３ｃおよび奥行フレーム要素４ｃは、中間ジョイント７を介して、縦フレーム要素５ｅに強固に固定される。
【０１６８】
以上、第一隅部Ｒ１に設けられたフレーム要素連結装置６Ａ、６Ｂについて説明したが、本実施形態の場合、フレーム要素連結装置６Ａ、６Ｂは、収納棚Ｓの平面視（図１Ｂ参照）における第一隅部Ｒ１〜第四隅部Ｒ４に設けられている。第二隅部Ｒ２〜第四隅部Ｒ４に設けられたフレーム要素連結装置６Ａ、６Ｂの構造は、第一隅部Ｒ１に設けられたフレーム要素連結装置６Ａ、６Ｂと同様である。
【０１６９】
第二隅部Ｒ２〜第四隅部Ｒ４に設けられたフレーム要素連結装置６Ａ、６Ｂについては、上述の第一隅部Ｒ１に設けられたフレーム要素連結装置６Ａ、６Ｂの説明を、適宜読み替えればよい。
【０１７０】
第二隅部Ｒ２に設けられたフレーム要素連結装置６Ａ、６Ｂは、第一隅部Ｒ１に設けられたフレーム要素連結装置６Ａ、６Ｂに対して、ＸＺ平面に関して対称な構造を有する。また、第三隅部Ｒ３に設けられたフレーム要素連結装置６Ａ、６Ｂは、第一隅部Ｒ１に設けられたフレーム要素連結装置６Ａ、６Ｂに対して、ＹＺ平面に関して対称な構造を有する。さらに、第四隅部Ｒ４に設けられたフレーム要素連結装置６Ａ、６Ｂは、第一隅部Ｒ１に設けられたフレーム要素連結装置６Ａ、６Ｂに対して、直線Ｌ（図１Ｂ参照）に関して回転対称（２回対称）の関係にある。なお、上記直線Ｌは、収納棚Ｓの平面視（図１Ｂ参照）において、第一隅部Ｒ１と第四隅部Ｒ４とを結んだ直線と、第二隅部Ｒ２と第三隅部Ｒ３とを結んだ直線との交点を通り、かつ、Ｚ方向に平行な直線である。
【０１７１】
なお、フレーム要素連結装置６Ｂの連結部材６１Ｂは、フレーム要素連結装置６Ａの連結部材６１Ａではなく、中間ジョイント７に連結されてもよい。この場合には、中間ジョイント７が、アンカー部材に対応する。
【０１７２】
［側板］
側板Ｐ１はそれぞれ、ＸＺ平面に平行な板状部材である。側板Ｐ１は、フレーム１において、奥行フレーム要素４ａ、４ｃと縦フレーム要素５ａ、５ｃとにより構成される枠部、および、奥行フレーム要素４ｂ、４ｄと縦フレーム要素５ｂ、５ｄとで構成される枠部に設けられている。
【０１７３】
また、側板Ｐ１は、フレーム１において、奥行フレーム要素４ｃ、４ｅと縦フレーム要素５ｅ、５ｇとにより構成される枠部、および、奥行フレーム要素４ｄ、４ｆと縦フレーム要素５ｆ、５ｈとで構成される枠部に設けられている。
【０１７４】
［背板］
背板Ｐ２はそれぞれ、ＹＺ平面に平行な板状部材である。背板Ｐ２は、フレーム１において、横フレーム要素３ｂ、３ｄと縦フレーム要素５ｃ、５ｄとにより構成される枠部、および、横フレーム要素３ｄ、３ｆと縦フレーム要素５ｇ、５ｈで構成される枠部に設けられている。
【０１７５】
［下側棚板］
下側棚板Ｐ３は、ＸＹ平面に平行な板状部材である。下側棚板Ｐ３は、フレーム１において、横フレーム要素３ａ、３ｂと奥行フレーム要素４ａ、４ｂとにより構成される枠部に設けられている。具体的には、下側棚板Ｐ３は、横フレーム要素３ａ、３ｂの載置板部３１および奥行フレーム要素４ａ、４ｂの載置板部４１の上面に載置されている。
【０１７６】
［中間棚板］
中間棚板Ｐ４は、ＸＹ平面に平行な板状部材である。中間棚板Ｐ４は、フレーム１において、横フレーム要素３ｃ、３ｄと奥行フレーム要素４ｃ、４ｄとにより構成される枠部に設けられている。具体的には、中間棚板Ｐ４は、横フレーム要素３ｃ、３ｄの載置板部３１および奥行フレーム要素４ｃ、４ｄの載置板部４１の上面に載置されている。
【０１７７】
［上側棚板］
上側棚板Ｐ５は、ＸＹ平面に平行な板状部材である。上側棚板Ｐ５は、フレーム１において、横フレーム要素３ｅ、３ｆと奥行フレーム要素４ｅ、４ｆとにより構成される枠部に設けられている。具体的には、上側棚板Ｐ５は、横フレーム要素３ｅ、３ｆの載置板部３１および奥行フレーム要素４ｅ、４ｆの載置板部４１の上面に載置されている。
【０１７８】
［付記］
以上のような収納棚Ｓは、上下方向に重ねて配置された一対（二段ともいう。）の収容部Ｓ１、Ｓ２を有する。一対の収容部Ｓ１、Ｓ２は、前方が開口している。
【０１７９】
なお、図示は省略するが、下側の収容部Ｓ１および上側の収容部Ｓ２の少なくとも一方の収容部に、引出部材が設けられてもよい。また、下側の収容部Ｓ１および上側の収容部Ｓ２の少なくとも一方の収容部は、開閉可能な扉を前端部に有してもよい。
【０１８０】
また、収納棚の列数および段数は、上述の場合に限定されない。たとえば、左右方向に１列、上下方向に３列の収納棚であってもよい。この場合には、図１Ａに示される収納棚Ｓの第一枠部２ａと第二枠部２ｂとの間に、第二枠部２ｂと同様の構成を有する追加枠部を設ける。そして、第二枠部２ｂと追加枠部とを、上述のフレーム要素連結装置６Ａ、６Ｂとほぼ同様の構成のフレーム要素連結装置により連結する。このフレーム要素連結装置は、たとえば、フレーム要素連結装置６Ａにおける下側ジョイント８を中間ジョイント７に置き換えた如き構成を有する。
【０１８１】
また、上述の各ジョイント（たとえば、中間ジョイント７）の固定部（具体的には、第一水平固定部７２、第二水平固定部７３、第一垂直固定部７４、および第二垂直固定部７５）同士の角度は、９０°に限定されない。たとえば、各ジョイントの固定部同士の角度は、６０°であってもよい。また、各ジョイントの固定部同士の角度は、たとえばヒンジなどの角度調整機構により調整可能であってもよい。
【０１８２】
また、中間ジョイント７、下側ジョイント８、または上側ジョイント９に対して、横フレーム要素３ａ〜３ｆまたは奥行フレーム要素４ａ〜４ｆ（水平フレームともいう。）を連結する部分の構造は、フレーム要素連結装置６Ａ、６Ｂと独立して実施してもよい。
【０１８３】
つまり、上述の実施形態において、フレーム要素連結装置６Ａ、６Ｂとは異なる構造により、縦フレーム要素５ａ〜５ｈに対して、横フレーム要素３ａ〜３ｆまたは奥行フレーム要素４ａ〜４ｆ（水平フレームともいう。）を連結してもよい。
【０１８４】
このようなフレーム要素連結装置は、第一方向に延在する管状の第一フレーム要素と、上記第一方向と異なる第二方向に延在する第二フレーム要素とを連結するフレーム要素連結装置であって、上記第一フレーム要素の一端に配置され、上記第一フレーム要素と上記第二フレーム要素とを連結するジョイント部材を備える。また、上記ジョイント部材は、上記第二フレーム要素に挿入される挿入部と、上記挿入部に螺合された状態で上記第二フレーム要素に挿入される締結部材と、を有する。このようなフレーム要素連結装置は、上記締結部材が軸回りに回転すると、上記締結部材が上記挿入部から突出して、上記締結部品および上記挿入部が上記第二フレーム要素を内側から押圧し、上記挿入部が上記第二フレーム要素に固定される。
【産業上の利用可能性】
【０１８５】
本発明に係るフレーム要素連結装置は、収納棚以外の什器（たとえば、テレビボードまたはセパレータ）に適用することもできる。
【符号の説明】
【０１８６】
Ｓ  収納棚
Ｓ１  収容部
Ｓ２  収容部
Ｒ１  第一隅部
Ｒ２  第二隅部
Ｒ３  第三隅部
Ｒ４  第四隅部
Ｐ１  側板
Ｐ２  背板
Ｐ３  下側棚板
Ｐ４  中間棚板
Ｐ５  上側棚板
１  フレーム
２ａ  第一枠部
２ｂ  第二枠部
２ｃ  第三枠部
３ａ〜３ｆ  横フレーム要素
３１  載置板部
３２  内側壁部
３３  工具用貫通孔
３４  取付孔
３５  外側壁部
３６  受け面
３７  締結部材
３７１  頭部
４ａ〜４ｆ  奥行フレーム要素
４１  載置板部
４２  内側壁部
４３  工具用貫通孔
４４  取付孔
４５  外側壁部
４６  受け面
４７  締結部材
４７１  頭部
５ａ〜５ｈ  縦フレーム要素
６Ａ、６Ｂ  フレーム要素連結装置
６１Ａ、６１Ｂ  連結部材
６１ａ  頭部
６１ｂ  軸部
６１ｃ  工具係止部
６１ｄ  雌ねじ部
６１ｅ  雄ねじ部
６２  アジャスタ
６３  アンカー部材
６４、６４ａ  工具
７  中間ジョイント
７１  基部
７ａ  第一面
７ｂ  第二面
７ｃ  第三面
７ｄ  第四面
７ｅ  第五面
７ｆ  第六面
７２  第一水平固定部
７２ｂ  第一貫通孔
７２ｃ  大径孔部
７２ｄ  第一雌ねじ部
７２ｅ  第二雌ねじ部
７３  第二水平固定部
７３ｂ  第一貫通孔
７３ｃ  大径孔部
７３ｄ  第一雌ねじ部
７３ｅ  第二雌ねじ部
７４  第一垂直固定部
７５  第二垂直固定部
７６  貫通孔
７６ａ  大径貫通孔
７６ｂ  小径貫通孔
７６ｃ  段部
８  下側ジョイント
８１  基部
８ａ  第一面
８ｂ  第二面
８ｃ  第三面
８ｄ  第四面
８ｅ  第五面
８ｆ  第六面
８２  第一水平固定部
８２ｃ  第一貫通孔
８２ｄ  大径孔部
８２ｅ  第一雌ねじ部
８２ｆ  第二雌ねじ部
８３  第二水平固定部
８３ｂ  第一貫通孔
８３ｃ  大径孔部
８３ｄ  第一雌ねじ部
８３ｅ  第二雌ねじ部
８４  第一垂直固定部
８６  貫通孔
８６ａ  大径雌ねじ部
８６ｂ  小径雌ねじ部
９  上側ジョイント
９１  基部
９ａ  第一面
９ｂ  第二面
９ｃ  第三面
９ｄ  第四面
９ｅ  第五面
９ｆ  第六面
９２  第一水平固定部
９２ｂ  第一貫通孔
９２ｃ  大径孔部
９２ｄ  第一雌ねじ部
９２ｅ  第二雌ねじ部
９３  第二水平固定部
９３ｂ  第一貫通孔
９３ｃ  大径孔部
９３ｄ  第一雌ねじ部
９３ｅ  第二雌ねじ部
９４  第一垂直固定部
９５  貫通孔
９５ａ  大径孔部
９５ｂ  小径孔部
９５ｃ  段部
【図１Ａ】
2019216842.tif 000003
【図１Ｂ】
2019216842.tif 000004
【図１Ｃ】
2019216842.tif 000005
【図１Ｄ】
2019216842.tif 000006
【図２】
2019216842.tif 000007
【図３】
2019216842.tif 000008
【図４Ａ】
2019216842.tif 000009
【図４Ｂ】
2019216842.tif 000010
【図５Ａ】
2019216842.tif 000011
【図５Ｂ】
2019216842.tif 000012
【図６Ａ】
2019216842.tif 000013
【図６Ｂ】
2019216842.tif 000014
【図７Ａ】
2019216842.tif 000015
【図７Ｂ】
2019216842.tif 000016
【図７Ｃ】
2019216842.tif 000017
【図８Ａ】
2019216842.tif 000018
【図８Ｂ】
2019216842.tif 000019
【図８Ｃ】
2019216842.tif 000020